(57)【要約】  精度の良い空気流量計を提供すること  出力を補正する演算回路を備えた空気流量計において、前記演算回路には、前記空気流量計の出力特性の調整要素として空気温度及びセンサモジュール温度を取り入れ、 前記空気温度と前記センサモジュール温度との温度差に応じて出力特性を補正し、 かつ、前記空気温度と前記センサモジュール温度との差の絶対値が小さいときは補正量を小さくする。
2017038312.tif 000002
【特許請求の範囲】
【請求項１】
出力を補正する演算回路を備えた空気流量計において、
前記演算回路には、前記空気流量計の出力特性の調整要素として空気温度及びセンサモジュール温度を取り入れ、
前記空気温度と前記センサモジュール温度との温度差に応じて出力特性を補正し、
かつ、前記空気温度と前記センサモジュール温度との差の絶対値が小さいときは補正量を小さくすることを特徴とする空気流量計。
【請求項２】
請求項１記載の空気流量計において、
前記出力特性の補正量は、変化率が異なる第一の領域と第二の領域を有することを特徴とする空気流量計。
【請求項３】
請求項２記載の空気流量計において、
前記第一の領域は、前記第二の領域の変化率より小さい変化率であることを特徴とする空気流量計。
【請求項４】
請求項２または３に記載の空気流量計において、
前記第一の領域は、前記空気温度と前記センサモジュール温度との温度差に対する補正量の変化率がゼロであり、
前記第二の領域の変化率は、１次特性を有していることを特徴とする空気流量計。
【請求項５】
請求項２または３に記載の空気流量計において、
前記第一の領域は、前記空気温度と前記センサモジュール温度との温度差に対する補正量の変化率が２次特性であり、
前記第二の領域の変化率は、１次特性を有していることを特徴とする空気流量計。
【請求項６】
請求項２または３に記載の空気流量計において、
前記第一の領域は、前記空気温度と前記センサモジュール温度との温度差に対する補正量の変化率がゼロであり、
前記第二の領域の変化率は、２次特性を有していることを特徴とする空気流量計。
【発明の詳細な説明】
【技術分野】
【０００１】
本発明は、被計測気体の流量を計測する装置に係り、特に、自動車の内燃機関の吸入空気の流量を計測する空気流量計に関する。
【背景技術】
【０００２】
自動車用の空気流量計の温度特性補正方法には、特開２０１０−２１６９０６号公報（特許文献１）に記載の技術がある。この公報には、「空気温度及びセンサモジュール温度を出力特性の調整要素として取り入れるようにし、前記空気温度及び前記センサモジュール温度の差分に応じた出力特性の温度補正を行う」という記載がある。
【先行技術文献】
【特許文献】
【０００３】
【特許文献１】特開２０１０−２１６９０６号公報
【発明の概要】
【発明が解決しようとする課題】
【０００４】
特許文献１では、空気温度及びセンサモジュール温度を２つの温度センサでそれぞれ検出し、検出温度の差分に応じた補正を行うことが記載されているが、２つの温度センサの経時劣化度合いの違いによる温度差や温度センサの個々の特性ばらつきによる温度差の影響が想定されていなかった。そのため、２つの温度センサが経時劣化度合いの差や特性ばらつきにより、同じ温度であるにもかかわらず違う温度を出力した場合、空気流量計の出力に誤差を生じさせてしまうことがある。【０００５】
本発明の目的は、精度の良い空気流量計を提供することにある。
【課題を解決するための手段】
【０００６】
上記課題を解決するために、代表的な本発明の空気流量計は、出力を補正する演算回路を備えた空気流量計において、前記演算回路には、前記空気流量計の出力特性の調整要素として空気温度及びセンサモジュール温度を取り入れ、 前記空気温度と前記センサモジュール温度との温度差に応じて出力特性を補正し、 かつ、前記空気温度と前記センサモジュール温度との差の絶対値が小さいときは補正量を小さくするものである。
【発明の効果】
【０００７】
本発明によれば、精度の良い空気流量計を提供することが可能となる。
【図面の簡単な説明】
【０００８】
【図１】本発明を自動車用空気流量計に適用した場合の回路構成図。
【図２】図１におけるＤＳＰ内部に実装されている演算システムのブロック図。
【図３】実施例１記載の壁温補正部の補正特性図。
【図４】実施例１記載の壁温補正特性の領域設定の特性図。
【図５】実施例２記載の壁温補正部の補正特性図。
【図６】実施例２記載の壁温補正特性の領域設定の特性図。
【図７】実施例３記載の壁温補正部の補正特性図。
【図８】実施例３記載の壁温補正特性の領域設定の特性図。
【図９】実施例４記載の壁温補正部の補正特性図。
【図１０】実施例４記載の壁温補正特性の領域設定の特性図。
【発明を実施するための形態】
【０００９】
以下、本発明の実施例について図面を用いて説明する。
【実施例１】
【００１０】
図１は、本発明を適用した場合の空気流量計の回路構成である。定温度制御ブリッジ１は、発熱抵抗体４、ブリッジ回路温度測定用測温抵抗体５、吸気温度補償用の測温抵抗体６、固定抵抗体７〜８より構成される。ヒータ制御回路２３は、ブリッジ回路温度測定用測温抵抗体５と吸気温度補償用測温抵抗体６の温度差が一定となるように発熱抵抗体４へ流す電流を制御する。【００１１】
定温度制御ブリッジ１の発熱抵抗体４の周囲に、発熱抵抗体４から放出される熱量を検出する温度差ブリッジ２が配置される。温度差ブリッジ２は、測温抵抗体９〜１２で構成され、空気流量及び方向を検出することが出来る。【００１２】
空気温度を測定する吸気温度センサ３は、固定抵抗体１３、温度により抵抗値が変化する感温抵抗体１４により構成される。【００１３】
温度差ブリッジ２で検出された流量信号は、個々の回路によりばらつきがあるため目標の出力特性になるように調整する必要がある。また吸気温度センサ３の出力も目標の特性に調整する必要がある。【００１４】
目標出力特性への調整方法としては、２次以上の多項式による調整や、補正マップによる調整が挙げられる。また調整は、外部コンピュータと接続して行うものである。【００１５】
出力特性調整回路２７は、ヒータ制御回路及び演算機能が一体となったＬＳＩ回路であり、回路全体を駆動するための発振器（以下ＯＳＣと称する）２０、定温度制御ブリッジ１を制御するヒータ制御回路２３、定温度制御ブリッジ１、温度差ブリッジ２、吸気温度センサ３及び出力特性調整回路２７を駆動する電源である定電圧回路１５、回路の温度を検出する回路温度センサ１９、空気流量信号を変換するＡ／Ｄ変換器１６、吸気温度センサ３出力信号を変換するＡ／Ｄ変換器１７、回路温度センサ１９の出力信号を変換するＡ／Ｄ変換器１８、空気流量信号及び吸気温度センサ信号の補正を実施する演算回路（ディジタルシグナルプロセッサ、以下ＤＳＰと称す）２２、ＤＳＰ２２で演算したデジタル出力値を電圧値へ変換するＤ／Ａ変換器２５、２６、周波数へ変換するフリーランニングカウンター（以下ＦＲＣと称する）３０，３１、デジタル出力であるＳＥＮＴ３２、出力調整を行うため外部コンピュータと通信を行う通信回路（シリアルコミュニケーションインターフェース、以下ＳＣＩと称す）２４、出力形態を切り替えるマルチプレクサ（以下ＭＵＸと称す）３３、３４、調整データを書込む記憶回路（例えばＥＰＲＯＭ）２１、ＤＳＰ２２を制御するプログラムを格納するＲＯＭ２９、ＤＳＰ２２で計算する途中データを一時的に格納するＲＡＭ２８、電源ＶＣＣへ過大なサージが印加された場合に回路を保護する保護回路３５を備えている。【００１６】
図２は、ＤＳＰ２２で実行する出力調整機能を示した回路ブロック図である。【００１７】
入力信号として温度差ブリッジ２の出力、回路温度センサ１９の出力、吸気温度センサ３の出力を出力特性の調整要素として取り込んでいる。調整は、まず回路温度センサ１９の出力を直線補正３８、吸気温度センサ３の出力を直線補正３９において同じ目標値に調整する。この調整値は任意に設定可能で、温度と目標値をリニアな関係に設定することが望ましい。次に温度差ブリッジ２の出力をゼロスパン補正４０において、ゼロ点調整およびスパン調整を行う。【００１８】
次に壁温補正３６において、回路温度と吸気温度に差がある状態（壁温状態）時の特性補正を実施する。壁温補正３６では、補正後の回路温度センサ１９の出力（ＴＬＳＩ）と補正後の吸気温度センサ３の出力（ＴＡ）の差分（ＴＡ−ＴＬＳＩ）に各流量で異なる最適な定数（Ｋ１）４２を掛け合わせる。さらに、Ｋ１にＴＡ−ＴＬＳＩ応じたゲイン（Ｋ２）４１を掛け合わせ、壁温補正量（ΔＹ）を求め、温度差ブリッジ２の出力のゼロスパン調整後流量信号（ＱＡ）に足し合わせている。壁温補正３６で実施している計算式を（１）に示す。【００１９】
ＱＡ１＝ＱＡ＋Ｋ１×Ｋ２×（ＴＡ−ＴＬＳＩ）・・・（１）
最後に、補正後の回路温度センサ１９の出力（ＴＬＳＩ）に応じた補正を出力補正マップ３７のデータを用いて壁温補正後の流量信号（ＱＡ１）を補正し、流量信号を目標値に合わせる。また同時に、補正後の吸気温度センサ３の出力（ＴＡ）は、温度信号として出力される。また本補正は、マップによる補正のみでなく、多項式による補正でも対応可能である。多項式による補正のメリットとしては、記憶回路２１、ＲＯＭ２９の容量が小さくて済むことであり、容量が小さければチップサイズの縮小が可能となり低コストが出来る。またマップによる補正のメリットとしては、入力に対する補正量の急激な変化に対応可能であり、高精度化が可能となる点である。【００２０】
図３は、壁温補正３６から出力される補正量ΔＹの特性図を示したものである。補正後の回路温度センサ１９の出力（ＴＬＳＩ）と補正後の吸気温度センサ３の出力（ＴＡ）の差分（ＴＡ−ＴＬＳＩ）の絶対値（｜ＴＡ−ＴＬＳＩ｜）が閾値まではΔＹがゼロとなり、閾値を境に傾きＫ１の１次特性となる。【００２１】
図４は、ゲイン（Ｋ２）４１の特性図を示したものである。閾値を境にゼロ（０）と１のステップ応答の特性を示している。この閾値は、任意に設定可能であり、回路温度センサと吸気温度センサの経時劣化度合いや特性ばらつきを考慮して設定するのが望ましい。
【実施例２】
【００２２】
本実施例は、実施例１記載の回路構成において壁温補正３６で実施される補正特性の異なるものを対象としたものである。【００２３】
図５は、壁温補正３６から出力される補正量ΔＹの特性図を示したものである。補正後の回路温度センサ１９の出力（ＴＬＳＩ）と補正後の吸気温度センサ３の出力（ＴＡ）の差分（ＴＡ−ＴＬＳＩ）の絶対値（｜ＴＡ−ＴＬＳＩ｜）が閾値まではΔＹがゼロとなり、閾値を境に傾きＫ１に近づく１次特性となる。【００２４】
図６は、ゲイン（Ｋ２）４１の特性図を示したものである。閾値までがゼロとなり、閾値以降で１次の特性を示している。【００２５】
本構成をとることで、閾値前後の不連続点での特性変動を小さくすることができる利点がある。
【実施例３】
【００２６】
本実施例では実施例１記載の回路構成において、壁温補正３６で実施される補正特性の異なるもを対象としたものである。【００２７】
図７は、壁温補正３６から出力される補正量ΔＹの特性図を示したものである。補正後の回路温度センサ１９の出力（ＴＬＳＩ）と補正後の吸気温度センサ３の出力（ＴＡ）の差分（ＴＡ−ＴＬＳＩ）の絶対値（｜ＴＡ−ＴＬＳＩ｜）が閾値までは２次特性となり、閾値を境に１次特性となる。【００２８】
図８は、ゲイン（Ｋ２）４１の特性図を示したものである。閾値までが１次特性となり、閾値を境にＫ２＝１の特性を示している。【００２９】
本構成をとることで、閾値前後の特性変動を小さくでき、且つ閾値以降は、傾きＫ１の１次特性とすることができる利点がある。
【実施例４】
【００３０】
本実施例では、実施例１記載の回路構成において壁温補正３６で実施される補正特性の異なるもを対象としたものである。【００３１】
図９は、壁温補正３６から出力される補正量ΔＹの特性図を示したものである。補正後の回路温度センサ１９の出力（ＴＬＳＩ）と補正後の吸気温度センサ３の出力（ＴＡ）の差分（ＴＡ−ＴＬＳＩ）の絶対値（｜ＴＡ−ＴＬＳＩ｜）が閾値１まではΔＹがゼロとなり、閾値１から閾値２までは２次特性となり、閾値２以降では１次特性となる。【００３２】
図１０は、ゲイン（Ｋ２）４１の特性図を示したものである。閾値１まではゼロとなり、閾値１から閾値２までは１次特性となり、閾値２以降Ｋ２＝１の特性を示している。【００３３】
本構成をとることで、閾値１及び閾値２前後の特性変動を小さくでき、且つ閾値２以降は、傾きＫ１の１次特性とすることができる利点がある。【００３４】
なお、本発明は上記した実施例に限定されるものではなく、様々な変形例が含まれる。例えば、上記した実施礼は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。また、上記の各構成、機能、処理部、処理手段等は、それらの一部又は全部を例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、マップ、補正値等の情報は、メモリやＲＯＭ、ＥＰＲＯＭ、フラッシュメモリ等の記憶装置におくことができる。
【符号の説明】
【００３５】
１・・・定温度制御ブリッジ、２・・・温度差ブリッジ、３・・・吸気温度センサ、４・・・発熱抵抗体、５〜６・・・測温抵抗体、７〜８、１３・・・固定抵抗体、９〜１２・・・測温抵抗体、１４・・・感温抵抗体、１５・・・定電圧回路、１６〜１８・・・Ａ／Ｄ変換器、１９・・・回路温度センサ、２１・・・記憶回路、２２・・・ＤＳＰ、２３・・・ヒータ制御回路、２４・・・ＳＣＩ、２５〜２６・・・Ｄ／Ａ変換器、２７・・・出力特性調整回路、２８・・・ＲＡＭ、２９・・・ＲＯＭ、３０〜３１・・・ＦＲＣ、３２・・・ＳＥＮＴ、３３〜３４・・・ＭＵＸ、３５・・・保護回路、３６・・・壁温補正、３７・・・出力補正、３８〜３９・・・直線補正、４０・・・ゼロスパン補正
【図１】
2017038312.tif 000003
【図２】
2017038312.tif 000004
【図３】
2017038312.tif 000005
【図４】
2017038312.tif 000006
【図５】
2017038312.tif 000007
【図６】
2017038312.tif 000008
【図７】
2017038312.tif 000009
【図８】
2017038312.tif 000010
【図９】
2017038312.tif 000011
【図１０】
2017038312.tif 000012
【国際調査報告】
2017038312.tif 000013
2017038312.tif 000014
2017038312.tif 000015